(57)【要約】【課題】門扉等のフランス落しの落し錠に用いられる落し錠の受け装置に関するもので落し錠の受け装置を設置後に、落し錠の落し棒との位置調整が出来る落し錠の受け装置を提供する。【解決手段】  落し錠受けガイド１と落し錠受け部２とその両者を一体に結合するビス３とからなり、落し錠受けガイド１は有底の円筒部１１とその底部中央にビス受け孔１３があり円筒部１１上端に外方に向いた鍔部１２を有し、落し錠受け部２は落し錠受けガイド１の円筒部１１に嵌合され調整移動可能な径の有底の円筒部２１と該円筒部２１上端に落し錠受けガイド１の鍔部１２より幅広の鍔部２２および底部中央にビス３の径より大なビス貫通孔２３が設けられ、ビス３はその頭部がビス貫通孔２３より大である落し錠の受け装置。【選択図】図４
2007040056.tif 000002
【特許請求の範囲】
【請求項１】
落し錠受けガイドと落し錠受け部とその両者を一体に結合するビスとからなり、落し錠受けガイドは有底の円筒部とその底部中央にビス受け孔があり円筒部上端に外方に向いた鍔部を有し、落し錠受け部は落し錠受けガイドの円筒部に嵌合され調整移動可能な径の有底の円筒部と該円筒部上端に落し錠受けガイドの鍔部より幅広の鍔部および底部中央にビスの径より大なビス貫通孔が設けられ、ビスはその頭部がビス貫通孔より大である落し錠の受け装置。
【請求項２】
落し錠受けガイドの底部にビス受け孔を形成した板状体が一体に形成されている請求項１記載の落し錠の受け装置。
【請求項３】
落し錠受け部の円筒部の鍔部外周に垂下脚片を形成されている請求項１記載の落し錠の受け装置。
【発明の詳細な説明】
【技術分野】
【０００１】
本発明は門扉等の落し錠に用いられる落し錠の受け装置に関するもので、落し錠の受け装置を設置後に落し棒との位置調整可能な落し錠の受け装置を提供する。
【背景技術】
【０００２】
門扉に使用される落し錠としてフランス落しが広く知られている。しかし落し錠は門扉側に、落し棒の下端を受け止める落し錠の受け部は路面側に設けられる。通常は路面が先に形成された後に門扉が取り付けられる。したがって落し錠の受け部は正確に測定して設置されるか、あるいは門扉取り付け時に路面に穴を形成して設置しなければならない。そのために前者は熟練を要し、後者の場合には路面の外観を損なうという問題点がある。
【特許文献１】特開平８−９３３６７号公報（第１０頁、図１）
【発明の開示】
【発明が解決しようとする課題】
【０００３】
上記特許文献は大型重量門扉に関するもので、強風時の落し棒にかかる力に耐え、門扉が移動しないように通常の門扉より太い落し棒を用い、その下端部を所要の長さに亘って地面に差し込むものであり、本願発明の落し錠の受け装置とは異なるものである。
【０００４】
本願発明はフランス落しと称される落し錠の受け装置に関するものであり、落し錠受けガイドと落し錠受け部を形成することで門扉における落し棒の受け位置を調整できるものであり、路面に落し錠の受け装置を設けておき、門扉取り付け時に落し錠受け部の位置を微調整できるものである。
【０００５】
従来のフランス落しと称される落し錠は本願図５に示すように門扉５の内側面下部に落し棒保持具６が固着され、その落し棒保持具６の上下に設けた挿通部７、８の孔に落し棒9を昇降自在に挿通し、その落し棒９の中間部に摘み兼上部ストッパー１００を、下端部付近に下部ストッパー１０１を設けて構成されており、落し棒９の下端部を路面４に設けた受け金具１０２の孔に落とし込むように操作するものである。
【０００６】
そのために落し錠の落し棒９の下端部と受け金具１０２の孔とが正確に位置するように設置する必要がある。また受け金具１０２は路面４に埋められ上面が路面４と面一となるために土砂の流入により効果がなくなるという問題がある。
【０００７】
したがって落し棒９は受け金具１０２にきちんと落とし込まれないと効果のないものである。本発明はこの受け金具１０２の位置を落し棒９の位置に合わせて調整でき、しかも取り付けが容易な落し錠の受け装置を提供するものである。
【課題を解決するための手段】
【０００８】
上記課題を解決するために、本発明に係る落し錠の受け装置の第一の特徴構成は請求項１に記載した如く、落し錠受けガイドと落し錠受け部とその両者を一体に結合するビスとからなり、落し錠受けガイドは有底の円筒部とその底部中央にビス受け孔があり円筒部上端に外方に向いた鍔部を有し、落し錠受け部は落し錠受けガイドの円筒部に嵌合され調整移動可能な径の有底の円筒部と該円筒部上端に落し錠受けガイドの鍔部より幅広の鍔部および底部中央にビスの径より大なビス貫通孔が設けられ、ビスはその頭部がビス貫通孔より大である点にある。
【０００９】
同第二の特徴構成は、請求項２に記載した如く、第一の特徴構成に加えて落し錠受けガイドの底部にビス受け孔を形成した板状体が一体に形成されている点にある。
【００１０】
同第三の特徴構成は、請求項３に記載した如く、落し錠受け部の円筒部の鍔部外周に垂下脚片を形成されている点にある。
【発明の効果】
【００１１】
請求項１に記載の落し錠の受け装置は、前記構成であり落し錠受け部の円筒部が落し錠受けガイドの円筒部内部で位置調整できるために落し棒と落し錠受け部との位置を一致させることができる。したがって落し棒は確実に落し錠の受け装置に納まるものである。
【００１２】
請求項２に記載された落し錠の受け装置は前記構成であり、ビスで落し錠受けガイドと落し錠受け部とを固定するために該落し錠受けガイドの底面は一定の厚みが必要であり、ビス受け孔を設けた板状体を落し錠受けガイドと一体に形成することで落し錠受けガイドの全体の厚みを薄くすることが出来る。
【００１３】
請求項３に記載の落し錠の受け装置は前記構成であり、落し錠受け部の鍔部外周に垂下脚片があるために落し錠の受け装置は路面より高く位置する。そのために落し錠の受け装置の円筒部に土砂などが侵入することが防止できる。
【発明を実施するための最良の形態】
【００１４】
以下、本発明の実施形態について図面を参照して、詳細に説明する。図１ないし図４は本発明の実施例を示したものである。図1は本発明にかかる落し錠の受け装置の分解断面図であり、１は路面４（図２参照）に埋設される落し錠受けガイドである。落し錠受けガイド１は有底の円筒部１１とこの円筒部１１の上端外周に外方に向いた鍔部１２が形成されており、円筒部１１の底部にはビス受け孔１３を有する板状体１４が一体に設けられている。
【００１５】
2は落し錠受け部であり落し錠受けガイド１の円筒部１１より径の小さい有底の円筒部２１とその円筒部２１の上端に幅広の鍔部２２が形成されており、この鍔部２２の径は落し錠受けガイド１の鍔部１２より大となっている。したがって落し錠受け部２の鍔部２２は落し錠受けガイド１の鍔部１２より外方にまで位置する。落し錠受け部２の有底の円筒部２１の底部には落し錠受け部２と落し錠受けガイド１とを連結するビス３の軸径より大なビス貫通孔２３が設けられている。またこの鍔部２２の外周縁部には垂下脚片２４が設けられている。
【００１６】
そのために落し錠受けガイド１に落し錠受け部２を組み込んだ場合に、落し錠受け部２の円筒部２１は落し錠受けガイド１内の円筒部１１内で位置調整移動ができる。また落し錠受け部２の鍔部２２が落し錠受けガイド１の鍔部１２より幅広であるため鍔部２２に設けられた垂下脚片２４により落し錠受け部２の移動が制限されることがない。
【００１７】
位置調整後、落し錠受け部２と落し錠受けガイド１とがビス３により結合され落し錠の受け装置が構成される。
【００１８】
図２は落し錠受けガイド１と落し錠受け部２とを組み立ててなる落し錠の受け装置の設置状態を示す断面図であり、落し錠受けガイド１はその鍔部１２が路面４に接するように配される。この落し錠受けガイド１に落し錠受け部２を嵌合しビス３にて両者を結合している。
【００１９】
図３は図２を上面より見た平面図である。図４は図２において位置調整を行なった場合の断面図であり、落し錠受け部２が図２の場合より右方向に移動した状態を示している。該移動方向は全方位に移動可能である。
【００２０】
図２あるいは図４に示すように本発明にかかる落し錠の受け装置は落し錠受け部２の鍔部２２の外周に垂下脚片２４があり、垂下脚片２４の下端は路面４上に位置するため、落し錠の受け装置は路面４より一段高くなるように設置される。それにより落し錠受け装置に土砂などの流入がないものであり、落し錠受け部２の円筒部２２は浅いので土砂が流入しても取り除くことが容易に出来る。
【００２１】
このように落し錠の受け装置を落し錠受けガイド１と落し錠受け部２とに分割することにより、必ずしも正確な位置に落し錠の受け装置を設置していなくても、門扉取り付け時に上記調整することができ、従って、落し棒９をきちんと落し錠受け部２に落とし込むことができるので取り付けが容易となり、従来のように落とし棒９と落し錠受け部２との位置が一致しないために路面４を再度掘り上げ、落し錠の受け装置を付け直すといった作業がなくなるものである。
【００２２】
なお以上は門扉について説明しているが、門扉でなく通常の室内扉等にも適用できるものである。
【図面の簡単な説明】
【００２３】
【図１】本発明に係る落し錠の受け装置の分解断面図である。
【図２】図１に示す落し錠受け装置の施工断面図である。
【図３】図２の落し錠受け装置を上面より見た平面図である。
【図４】図２の落し錠受け装置で位置調整した状態を示す断面図である。
【図５】従来例の門扉の施工状態を示す概要図である。
【符号の説明】
【００２４】
１      落し錠受けガイド
１１    落し錠受けガイドの有底の円筒部
１２    落し錠受けガイドの鍔部
１３    ビス受け孔
１４    ビス受け孔を有する板状体
２      落し錠受け部
２１    落し錠受け部の有底の円筒部
２２    落し錠受け部の鍔部
２３    ビス貫通孔
２４    落し錠受け部の鍔部に設けた垂下脚片
３      ビス
４      路面
５      門扉
６      落し錠保持具
７      落し錠の上部挿通部
８      落し錠の下部挿通部
９      落し棒
１００    つまみ兼上部ストッパー
１０１    下部ストッパー
１０２    受け金具
【図１】
2007040056.tif 000003
【図２】
2007040056.tif 000004
【図３】
2007040056.tif 000005
【図４】
2007040056.tif 000006
【図５】
2007040056.tif 000007